(57)【要約】【課題】  音声の聞きづらさを解消した飛沫遮断パーティションを提供する。【解決手段】  支え板２により鉛直な姿勢で立てて設置される透明な主板１には、高さ方向の中央より下方の位置に音通路３が形成されている。音通路３は、断面視において逆Ｖ字状を成している。主板１により飛沫が遮断されるが、音通路３を通して音が漏れ出るので、会話にしにくくなることはない。主板１は、アクリル樹脂製又はガラス製である。音通路３は、主板１の幅方向に複数形成されている。音通路３の断面積は、３〜３２０平方ミリメートル程度である。【選択図】  図１
0003232927.tif 000002
【実用新案登録請求の範囲】
【請求項１】
透明な主板より成る飛沫遮断パーティションであって、
主板が鉛直な姿勢で設置された際、斜め下方に向いて延びる状態となる音通路が主板を貫通して形成されていることを特徴とする飛沫遮断パーティション。
【請求項２】
前記音通路は、前記主板が鉛直な姿勢で配置された際、逆Ｖ字状を成していることを特徴とする飛沫遮断パーティション。
【請求項３】
前記主板は、端面が斜めに切断された複数の要素板を組み合わせることで形成されており、斜めである端面によって前記逆Ｖ字状の音通路が形成されていることを特徴とする請求項２記載の飛沫遮断パーティション。
【請求項４】
前記音通路を形成する通路形成部材を備えており、
前記主板は、通路形成部材の輪郭に相当する音通用開口を有しており、通路形成部材は音通用開口に嵌め込まれていることを特徴とする請求項１又は２記載の飛沫遮断パーティション。
【請求項５】
前記音通路は、主板が鉛直な姿勢で設置された際、主板の高さ方向中央より下方となる位置に形成されていることを特徴とする請求項１乃至４いずれかに記載の飛沫遮断パーティション。
【請求項６】
前記音通路は、当該音通路が延びる方向に垂直な断面での断面積は３平方ミリメートル以上３２０平方ミリメートル以下であることを特徴とする請求項１乃至５いずれかに記載の飛沫遮断パーティション。
【請求項７】
前記主板は、アクリル樹脂製であることを特徴とする請求項１乃至６いずれかに記載の飛沫遮断パーティション。
【請求項８】
前記主板は、ガラス製であることを特徴とする請求項１乃至６いずれかに記載の飛沫遮断パーティション。
【請求項９】
透明な主板より成る飛沫遮断パーティションであって、
主板には音通用開口が形成されているとともに、音通用開口を覆うカバーが主板に設けられており、
カバーは、主板が鉛直な姿勢で設定された際、音通用開口よりも上側の位置において一端が主板に固定され、横方向に延びて下方に折れ曲がる断面形状を有しており、カバーの内側が音通路となっていることを特徴とする飛沫遮断パーティション。
【考案の詳細な説明】
【技術分野】
【０００１】
この出願の考案は、人の口から発せられる飛沫を遮断する飛沫遮断パーティションに関するものである。
【背景技術】
【０００２】
新型コロナウイルスの大流行を背景として、感染症予防に対する社会の関心が非常に高くなってきている。ウイルスが飛沫感染の形で広がるため、感染症予防の一環として、人の口から発せられる飛沫を遮断するパーティションが使用されることも多くなってきている。
飛沫遮断パーティションとしては、透明な板状又はシート状のものが使用される。板状のものとしては、アクリル樹脂製のもの（アクリルボード）が使用されることが多く、テーブル上に立てられる構造のものとされる。シート状のものとしては、ビニール製のもの（ビニールシート）が使用されることが多く、上から吊り下げて使用される。
【先行技術文献】
【特許文献】
【０００３】
【特許文献１】実用新案登録第３２２８４２９号公報
【考案の概要】
【考案が解決しようとする課題】
【０００４】
このような飛沫遮断パーティションは、飛沫遮断の観点では十分であるが、パーティション越しに会話をすると、音声も遮断してしまうため、相手の声が聞きづらいという問題がある。
本願の考案は、上記の点を考慮して為されたものであり、音声の聞きづらさを解消した飛沫遮断パーティションを提供することを目的としている。
【課題を解決するための手段】
【０００５】
上記課題を解決するため、この明細書において開示された考案は、透明な主板より成る飛沫遮断パーティションであって、主板が鉛直な姿勢で設置された際、斜め下方に向いて延びる状態となる音通路が主板を貫通して形成されているという構成を有する。
また、この飛沫遮断パーティションにおいて、音通路は、主板が鉛直な姿勢で配置された際、逆Ｖ字状を成し得る。
また、この飛沫遮断パーティションは、主板が、端面が斜めに切断された複数の要素板を組み合わせることで形成されており、斜めである端面によって逆Ｖ字状の音通路が形成されているという構成を持ち得る。
また、この飛沫遮断パーティションは、音通路を形成する通路形成部材を備えており、主板は、通路形成部材の輪郭に相当する音通用開口を有しており、通路形成部材は音通用開口に嵌め込まれているという構成を持ち得る。
また、この飛沫遮断パーティションにおいて、音通路は、主板が鉛直な姿勢で設置された際、主板の高さ方向中央より下方となる位置に形成され得る。
また、この飛沫遮断パーティションにおいて、音通路は、当該音通路が延びる方向に垂直な断面での断面積は３平方ミリメートル以上３２０平方ミリメートル以下であり得る。
また、この飛沫遮断パーティションにおいて、主板は、アクリル樹脂製であり得る。
また、この飛沫遮断パーティションにおいて、主板は、ガラス製であり得る。
また、上記課題を解決するため、この明細書において開示された別の考案は、透明な主板より成る飛沫遮断パーティションであって、主板には音通用開口が形成されているとともに、音通用開口を覆うカバーが主板に設けられており、カバーは、主板が鉛直な姿勢で設定された際、音通用開口よりも上側の位置において一端が主板に固定され、横方向に延びて下方に折れ曲がる断面形状を有しており、カバーの内側が音通路となっているという構成を有する。
【考案の効果】
【０００６】
以下に説明する通り、開示された考案に係る飛沫遮断パーティションによれば、主板を挟んで人が対面して会話をする際、主板によって飛沫が遮断されるので、飛沫にウイルスが含まれていたとしても対面する相手方に達することはなく、ウイルス感染が防止される。この際、音通路が形成されているので、音の通りが良くなり、会話が阻害されることがなくなる。そして、音通路は、斜め下方に向けて形成されているので、仮に飛沫が音通路を通り抜けたとしても、下方に指向するもののみとなる。このため、相手方の鼻や口等に達する可能性は非常に小さい。
また、音通路が、逆Ｖ字状を成している構成では、音通路が両側において斜め下方に延びた状態となるので、どちらの側の人からの飛沫についても相手方への到達を抑制することができる。このため、汎用性が高い。
また、端面が斜めに切断された複数の要素板を組み合わせることで主板形成されており、斜めである端面によって逆Ｖ字状の音通路が形成される構成では、音通路を孔開け加工によって設ける場合に比べて製作が容易となる。
また、主板に形成された音通用開口に通路形成部材が嵌め込まれることで音通路が形成される構成では、さらに製作が容易となる。
また、音通路が主板の高さ方向中央より下方となる位置に形成されている構成では、テーブル上に設置されて飛沫遮断をする場合に特に好適となる。
また、音通路の断面積が３平方ミリメートル以上３２０平方ミリメートル以下である構成では、音通路を通って飛沫が相手方に到達してしまうのを防止する効果が顕著となる。
また、音通路が、主板に設けられた音通用開口に設けられたカバーの内側によって形成されている構成では、よりシンプルな構造となり、低コスト化が図られる。
【図面の簡単な説明】
【０００７】
【図１】第一の実施形態の飛沫遮断パーティションの斜視概略図である。
【図２】第一の実施形態の飛沫遮断パーティションの要部の断面概略図である。
【図３】第二の実施形態の飛沫遮断パーティションの要部の断面概略図である。
【図４】第三の実施形態の飛沫遮断パーティションの斜視概略図である。
【図５】第三の実施形態の飛沫遮断パーティションの要部の断面概略図である。
【図６】第三の実施形態で使用されている通路形成部材の斜視概略図である。
【図７】第三の実施形態で使用されている通路形成部材の斜視概略図である。
【図８】第四の実施形態の飛沫遮断パーティションの斜視概略図である。
【図９】第四の実施形態の飛沫遮断パーティションの要部の断面概略図である。
【図１０】さらに別の実施形態について示した要部の断面概略図である。
【図１１】主板に対して着脱自在とする構造の一例について示した断面概略図である。
【考案を実施するための形態】
【０００８】
以下、この出願の考案を実施するための形態（実施形態）について説明する。
図１は、第一の実施形態の飛沫遮断パーティションの斜視概略図、図２は、第一の実施形態の飛沫遮断パーティションの要部の断面概略図である。
図１に示す飛沫遮断パーティションは、透明な主板１を備えている。この実施形態では、主板１はアクリル樹脂製であり、厚さは２〜４ｍｍ程度である。主板１は、全体としては方形である。
【０００９】
この実施形態の飛沫遮断パーティションは、鉛直に立てた状態で設置することが想定されており、主板１の下端には、支え板２が取り付けられている。支え板２は、主板１の下端から側方に延びる板である。支え板２も同様にアクリル樹脂のような樹脂製を使用でき、主板１に対して接着により固定され得る。
そして、主板１には、主板１を挟んで対面する人同士の会話を阻害しないよう、音通路３が形成されている。音通路３は、斜め下方に向けて延びた状態で形成されている。図２に示すように、音通路３は、上側の凸のＶ字状（逆Ｖ字状）に延びたものとなっている。したがって、音通路３は、板厚の中央の位置から両側に斜め下方に向けて延びる孔である。
【００１０】
図１に示すように、音通路３は、主板１の幅方向に複数設けられている。音通路３の高さ方向の形成位置は、主板１の高さ方向の中央（真ん中の高さ）より低い位置である。
各音通路３は、主板１を通して音声が漏れることで会話をし易くするためのものであるので、断面積はある程度大きい方が好ましい。他方、あまり大きくなると、音通路３を通して飛沫が通過して反対側に達してしまい易くなり、遮断作用が低下してしまう。音通路３が延びる方向に垂直な方向での音通路３の断面積として表現すると、断面積は、３ｍｍ２以上３２０ｍｍ２以下とすることが好ましい。音通路３の断面形状が円形の場合、その直径は２ｍｍ以上２０ｍｍ以下とすることが好ましい。
【００１１】
このような実施形態の飛沫遮断パーティションによれば、主板１を挟んで人が対面して会話をする際、主板１によって飛沫が遮断されるので、飛沫にウイルスが含まれていたとしても対面する相手方に達することはなく、ウイルス感染が防止される。この際、音通路３が形成されているので、音の通りが良くなり、会話が阻害されることがなくなる。そして、音通路３は、斜め下方に向けて形成されているので、仮に飛沫が音通路３を通り抜けたとしても、下方に指向するもののみとなる。このため、相手方の鼻や口等に達する可能性は非常に小さい。
尚、音通路３が斜め下に延びる際の角度（水平に対する角度、図２にθで示す）は、４５度以上であることが好ましく、６０度以上であるとより好ましい。
また、図１及び図２に示す例では、音通路３は三列設けられているが、一列や二列であっても良く、四列以上であっても良い。
【００１２】
次に、第二の実施形態の飛沫遮断パーティションについて説明する。図３は、第二の実施形態の飛沫遮断パーティションの断面概略図である。
第二の実施形態の飛沫遮断パーティションは、透明な複数の素材板１１〜１４を組み合わせることで主板１が形成されている。図３に示す例では、四枚の素材板１１〜１４を組み合わせて主板１が形成されている。説明の都合上、四枚の素材板１１〜１４について、左上に位置するものを第一の素材板１１、右上に位置するものを第二の素材板１２、左下に位置するものを第三の素材板１３、右下に位置するものを第四の素材板１４とする。
【００１３】
図３に示すように、第一の素材板１１の下端面は、右肩上がりの斜めの面となっている。また、第二の素材板１２の下端面は、右肩下がりの斜めの面となっている。第一の素材板１１と第二の素材板１２は、板面を当接させて接着等の方法により互いに固定されており、下端面により断面逆Ｖ字状の溝が形成された構造となっている。
また、図３に示すように、第三の素材板１３の上端面は右肩上がりの斜めの面となっており、第四の素材板１４の上端面は、右肩下がりの斜めの面となっている。第三の素材板１３と第四の素材板１４も、板面を当接させて接着で互いに固定されており、上端面により断面逆Ｖ字状の凸部が形成された構造となっている。固定された第三第四の素材板１３，１４の下端には、第一の実施形態の同様に支え板（不図示）が取り付けられている。
【００１４】
そして、第三第四の素材板１３，１４に対して、第一第二の素材板１１，１２がスペーサ１５を介して取り付けられている。スペーサ１５は各素材板１１〜１４に接着されており、スペーサ１５を介して上下の素材板１１〜１４が互いに固定されている。
第一の素材板１１の下端面と第三の素材板１３の上端面とは、角度が同じ斜めの面となっている。また、第二の素材板１２の下端面と第四の素材板１４の上端面も、角度が同じ斜めの面となっている。このため、スペーサ１５を介して取り付けられると、四つの素材板１１〜１４により、逆Ｖ字状の断面形状の音通路３が形成される。尚、第一の素材板１１の下端面と第二の素材板１２の下端面は線対称であり、第三の素材板１３の上端面と第四の素材板１４の上端面も線対称である。したがって、形成される音通路３も断面で見ると線対称である。
この実施形態においても、主板１によって飛沫が遮断されるとともに、対面する人同士の会話は音通路３によって阻害されずに行える。そして、音通路３が斜め下方に向けて形成されているので、仮に飛沫が音通路３を通り抜けたとしても、相手方の鼻や口等に達する可能性は非常に小さい。
【００１５】
また、第一の実施形態と比較すると、製作が容易であるという長所がある。第一の実施形態の場合、アクリル樹脂製の主板１に対して孔開け加工をして音通路３を形成するが、加工が容易ではないという課題がある。主板１を厚くすれば加工は比較的容易になるが、必要以上に厚くなり、見栄えが悪くなったり、重くなって持ち運びが容易でなくなったりする。一方、第二の実施形態では、端面を上記のようにカットした各要素板１１〜１４をスペーサ１５を介して組み立てるだけで良いので、製作は容易である。
尚、図３において、スペーサ１５は、要素板１１〜１４の幅方向（紙面垂直方向）に間隔をおいて複数設けられる。スペーサ１５の数を多くして配置間隔を狭めたり又はスペーサ１５の長さ（紙面垂直方向の長さ）を長くして配置間隔を狭めたりすることで、幅方向で音通路３の大きさを実質的に規制することができる。
【００１６】
次に、第三の実施形態の飛沫遮断パーティションについて説明する。図４は、第三の実施形態の飛沫遮断パーティションの斜視概略図である。
図４に示す第三の実施形態の飛沫遮断パーティションは、主板１に対して通路形成部材４が装着された構造となっており、音通路３が通路形成部材４によって形成されている。図４に示すように、通路形成部材４は、長方形状の輪郭を有する部材である。主板１は、通路形成部材４の輪郭に相当する音通用開口１０を有しており、通路形成部材４は音通用開口１０に嵌め込みによって取り付けられている。
【００１７】
図５は、第三の実施形態の飛沫遮断パーティションの要部の断面概略図である。第三の実施形態では、二個の通路形成部材４を背中合わせにして接合し、それを音通用開口１０に嵌め込んでいる。各通路形成部材４は、多数の音通口４０を有するベース部４１と、各音通口４０を覆った状態で突出して形成された遮蔽凸部４２とを有する形状である。図５に示すように、背中合わせとは、ベース部４１同士を接合させた状態である。
【００１８】
図６及び図７は、第三の実施形態で使用されている通路形成部材の斜視概略図である。このうち、図６は、各遮蔽凸部４２が上側になるようにて水平な姿勢とした状態の図、図６はベース部４１が上側となるようにして水平な姿勢とした状態の図である。
図７に示すように、各音通口４０は三角形状であり、通路形成部材４の長手方向に多数並んで形成されている。長手方向では、各音通口４０は、一個の音通口４０の幅より少し大きい間隔をおいて形成されている。各音通口４０は、短手方向において複数列形成されている。短手方向では、音通口一個分の幅ずつずらして配列されている。
【００１９】
また、図６に示すように、正四角錐状の板部材を稜線で真っ二つに分割した一方の部材に相当する形状の部位であり、三角形状の音通口４０の両側辺から立ち上がった構造となっている。したがって、図５に示すように、断面形状では、遮蔽凸部４２は、音通口４０の側方において斜めに遮蔽する形状となっている。
このため、図５に実線矢印で示すように音通口４０を通して音通路３が形成され、音通路３は遮蔽凸部４２の作用により屈曲したものとなる。この例では、遮蔽凸部４２の内側が音通路３となり、図５に示すようにこの部分において音通路３は斜め下方に延びている。
【００２０】
各通路形成部材４は、ポリカーボネート樹脂やアクリル樹脂のような樹脂製とされ、射出成形の方法により製作できる。通路形成部材４同士の接合は、接着でも良いが、単に当接させるだけの状態とし、音通用開口１０への嵌め込みによって通路形成部材４同士の固定がされるようにしても良い。尚、通路形成部材４は、透明である必要はなく、着色された部材であっても良い。
【００２１】
この実施形態においても、主板１によって飛沫が遮断されるとともに、対面する人同士の会話は音通路３によって阻害されずに行える。そして、音通路３が斜め下方に延びて形成されているので、仮に飛沫が音通路３を通り抜けたとしても、相手方の鼻や口等に達する可能性は非常に小さい。そして、この実施形態によれば、主板１に音通用開口１０を設けて通路形成部材４を嵌め込むだけで良いので、さらに製作が容易となっている。
【００２２】
次に、第四の実施形態の飛沫遮断パーティションについて説明する。図８は、第四の実施形態の飛沫遮断パーティションの斜視概略図である。図９は、第四の実施形態の飛沫遮断パーティションの要部の断面概略図である。
図８に示すように、第四の実施形態では、主板１に大きな音通用開口１０が形成されており、音通用開口１０を覆うカバー５が設けられている。図９に示すように、カバー５は、音通用開口１０よりも上側の位置において一端が主板１に固定され、横方向に延びて下方に折れ曲がる断面形状を有している。そして、カバー５の内側が音通路３となっている。
【００２３】
この実施形態においても、主板１によって飛沫が遮断されるとともに、対面する人同士の会話は音通路３によって阻害されずに行え、音通路３が斜め下方に延びて形成されているので、仮に飛沫が音通路３を通り抜けたとしても、相手方の鼻や口等に達する可能性は非常に小さい。第四の実施形態で、第三の実施形態のように複雑な構造を有する通路形成部材４を使用しないので、より低コストで上記効果を達成することができる。図８及び図９では一方の側にのみカバー５が設けられているが、両側にカバー５が設けられていても良い。
尚、図４〜図７に示す第三の実施形態において、通路形成部材４を覆うようにしてカバー５が取り付けられても良い。そのようにすると、万が一通路形成部材４を飛沫が通過した場合でも、カバー５によって遮断されるので、より好適となる。
【００２４】
図１０は、さらに別の実施形態について示した要部の断面概略図である。本願考案の実施に際しては、音通路３は、両側に向けて斜め下方に延びている必要はなく、片側に対してのみ斜め下方に向いていても良い。したがって、図１０（１）に示すように、音通路３は、一方の側から他方の側に単純に斜め下方に延びる貫通孔であっても良い。この場合は、斜め下方に延びている先とは反対側に飛沫の放出源が位置するよう飛沫遮断パーティションが設置される。
【００２５】
図１０（１）に示す例では、対面した人がお互いにしゃべる状況の使用はできず、一方の側にいる人のみがもっぱらしゃべる状況で使用される。例えばスピーチテービルの前縁付近におき、スピーチする人の飛沫を専ら防止する用途に使用され得る。
また、図１０（２）に示す例では、音通路３を覆うカバー５を設けている。カバー５は、斜め下方に延びる音通路３の出口側（飛沫源が位置する側とは反対側）において音通路３を覆うよう取り付けられる。
尚、図１０に示す例と比べると、第一乃至第三の実施形態では、両側において斜め下方に音通路３が向いているので、どちらの側の人からの飛沫についても相手方に到達するのが抑制される。したがって、汎用性が高い。
【００２６】
図４〜図１０に示す各実施形態において、通路形成部材４やカバー５は、主板１に対して着脱自在に取り付けられると好適である。この取り付け構造の一例が図１１に示されている。図１１は、主板に対して着脱自在とする構造の一例について示した断面概略図である。
図１１に示す例では、音通用開口１０を臨む部位に係止爪６を設けて着脱自在とする構造が示されている。通路形成部材４やカバー５に適度な弾性力を有する突起６１を形成し、その先端に係止爪６を設けておく。図１１に示すように、突起６１を少し押しながら音通用開口１０に嵌め込み、装着状態で係止爪６が音通用開口１０の縁に引っ掛かるようにする。取り外す場合には、係止爪６を押しながら引き抜くようにする。係止爪６を有する突起６１は、通路形成部材４やカバー５の周縁に三箇所から四箇所程度設けられる。一例としては、このような構造が採用可能である。
【００２７】
以上説明した各実施形態において、飛沫遮断パーティションはテーブル上に置かれるとして説明したが、本願考案の実施に際しては、床に立てて使用されるタイプのものでも良い。この場合は、立っている人の口の高さよりも下方に音通路３が位置することが好ましい。大人の平均的な伸長の人を前提とすると、音通路３は、床から８０〜１３０ｃｍ程度の高さの位置とすることが好ましい。
また、主板１の材質としては、アクリル樹脂の他、他の透明な樹脂でも良く、硼珪酸ガラスのようなガラスでも良い。
【符号の説明】
【００２８】
１  主板
１０  装着用開口
２  支え板
３  音通路
４  通路形成部材
４０  音通用開口
４１  ベース部
４２  遮蔽凸部
５  カバー
６  係止爪
【図１】
0003232927.tif 000003
【図２】
0003232927.tif 000004
【図３】
0003232927.tif 000005
【図４】
0003232927.tif 000006
【図５】
0003232927.tif 000007
【図６】
0003232927.tif 000008
【図７】
0003232927.tif 000009
【図８】
0003232927.tif 000010
【図９】
0003232927.tif 000011
【図１０】
0003232927.tif 000012
【図１１】
0003232927.tif 000013